(57)【特許請求の範囲】
【請求項１】
建物本体の外壁端部に、内側に向けて延びる第１壁部が連接され、この第１壁部の端部に、外側に向けて延びる第２壁部が略直角に連接された住宅において、
前記第１壁部および第２壁部の壁面には、平面視長方形状の玄関ユニットが当接して配設されてなり、前記玄関ユニットの平面視における短辺の長さが、第１壁部および第２壁部の平面視におけるそれぞれの長さよりも短く設定され、
前記第１壁部および第２壁部の平面視におけるそれぞれの長さが等しく設定され、かつ、玄関ユニットの平面視における長辺の長さが、前記第１壁部および第２壁部の平面視におけるそれぞれの長さと等しく設定され、
前記玄関ユニットの、前記第１壁部または第２壁部に当接する側の角部の長辺側および短辺側には開口部が形成され、
前記玄関ユニットの前記第１壁部または第２壁部に当接していない側には、カーポート用のスペースが前記玄関ユニットの長辺に沿って設けられており、
前記玄関ユニットの短辺の外側には建物本体の外壁より突出する玄関ポーチが設けられ、
前記カーポート用のスペースは前記玄関ユニットおよび前記玄関ポーチに沿って設けられ、
前記カーポート用のスペースには、庇が設けられ、この庇が前記玄関ユニットの玄関庇と一体的に構成されていることを特徴とする住宅。
【請求項２】
請求項１記載の住宅において、前記玄関ユニットの上部には、当該玄関ユニットと平面視における形状が等しい上ユニットが設けられていることを特徴とする住宅。
【請求項３】
請求項２記載の住宅において、前記上ユニットの、前記第１壁部または第２壁部の壁面に当接する側の角部には開口部が形成されていることを特徴とする住宅。
【発明の詳細な説明】
【０００１】
【産業上の利用分野】
本発明は、住宅に係り、特に、玄関の向きを簡単に変更することができるものに関する。
【０００２】
【従来の技術】
プレハブ住宅を施工する方法の一つとして、住宅の床、壁、屋根等をパネルを用いて施工するパネル工法はよく知られている。このパネル工法においては、予め工場等において、芯材を枠組みすることにより枠体を形成し、この枠体の少なくとも一面に面材を貼設することにより、床パネル、壁パネル、屋根パネル等を製造し、建築現場でこれらのパネルを組み付けていくことによりプレハブ住宅を構築するようにしている。
【０００３】
上記のようなプレハブ住宅では、比較的人気があるものや動線等の機能上優れたものは、規格商品としている場合が多い。
このような、規格商品では、住宅の屋根形状やその他の壁パネル、床パネル、屋根パネル、梁等の住宅の構成要素を共通化することができるという利点がある。
【０００４】
【発明が解決しようとする課題】
ところが、前記規格商品である住宅においても、敷地環境や住人（発注者）の要望等によって、玄関の向きを変更したい場合がある。玄関の向きを変更する場合、玄関以外のその他の部屋の配置関係も変更せざるを得ないという問題がある。
また、住宅には、その敷地内にカーポート用のスペースを確保している場合が多く、このカーポート用のスペースが玄関と隣接して設けられている場合、上記のように、玄関の向きを変更したい場合、カーポート用のスペースも配置変更しなければならないので、玄関の向きの変更を自由に行い難いという問題もある。
【０００５】
本発明は上記事情に鑑みてなされたもので、規格商品の住宅においても、玄関の向きを簡単に変更することができ、しかもカーポート用のスペースを容易に確保することができる住宅を提供することを目的としている。
【０００６】
【課題を解決するための手段】
上記目的を達成するために、本発明の請求項１の住宅は、建物本体の外壁端部に、内側に向けて延びる第１壁部が連接され、この第１壁部の端部に、外側に向けて延びる第２壁部が略直角に連接された住宅において、前記第１壁部および第２壁部の壁面に、平面視長方形状の玄関ユニットを当接して配設し、前記玄関ユニットの平面視における短辺の長さを、第１壁部および第２壁部の平面視におけるそれぞれの長さよりも短く設定し、前記第１壁部および第２壁部の平面視におけるそれぞれの長さを等しく設定し、かつ、玄関ユニットの平面視における長辺の長さを、前記第１壁部および第２壁部の平面視におけるそれぞれの長さと等しく設定し、前記玄関ユニットの、前記第１壁部または第２壁部に当接する側の角部の長辺側および短辺側に開口部を形成し、前記玄関ユニットの前記第１壁部または第２壁部に当接していない側に、カーポート用のスペースを前記玄関ユニットの長辺に沿って設け、前記玄関ユニットの短辺の外側に建物本体の外壁より突出する玄関ポーチを設け、前記カーポート用のスペースを前記玄関ユニットおよび前記玄関ポーチに沿って設け、前記カーポート用のスペースに、庇を設け、この庇を前記玄関ユニットの玄関庇と一体的に構成したものである。
【０００９】
請求項２の住宅は、請求項１において、前記玄関ユニットの上部に、当該玄関ユニットと平面視における形状が等しい上ユニットを設けたものである。
【００１０】
請求項３の住宅は、請求項２において、前記上ユニットの、前記第１壁部または第２壁部の壁面に当接する側の角部に開口部を形成したものである。
【００１２】
【作用】
請求項１の住宅にあっては、第１壁部または第２壁部の壁面に、平面視長方形状の玄関ユニットを当接して配設するが、該玄関ユニットの平面視における短辺の長さが、前記第１壁部および第２壁部の平面視における凹所の平面視におけるそれぞれの長さよりも短いので、玄関ユニットを適宜その向きを変えて配設することにより、玄関入りの方向を適宜選択するとともに、玄関ユニットの、前記第１壁部または第２壁部の壁面と当接していない側には、スペースができるので、このスペースをカーポート用のスペースとする。
【００１３】
また、前記第１壁部および第２壁部の平面視におけるそれぞれの長さを等しく設定し、かつ、玄関ユニットの平面視における長辺の長さを、前記前記第１壁部および第２壁部の平面視におけるそれぞれの長さと等しく設定したので、第１壁部の壁面に、玄関ユニットの長辺側を当接し、第２壁部の壁面に玄関ユニットの短辺側を当接した場合、または、その逆に、第１壁部の壁面に、玄関ユニットの短辺側を当接し、第２壁部の壁面に玄関ユニットの長辺側を当接した場合のいずれにおいても、玄関ユニットを、建物本体の外壁から突出させることなく納めることができるとともに、玄関ユニットの、前記第１壁部または第２壁部の壁面と当接していない側には、同形状のスペースを確保することができる。
【００１４】
さらに、前記玄関ユニットの、前記第１壁部または第２壁部の壁面に当接する側の角部に、開口部を形成したので、この開口部は、前記第１壁部および第２壁部の両方の壁面に臨むことになるので、これら壁面にそれぞれ開口部を形成することにより、玄関ユニットから建物本体内への行き来を２通り選択することができ、玄関からの動線がスムーズになる。
また、前記玄関ユニットの、前記第１壁部または第２壁部の壁面に当接していない側のスペースに設けられた庇を、玄関ユニットの玄関庇と一体的に構成することにより、前記庇と玄関庇とを別体に構成する場合に比べ、施工の無駄を省くことができるとともに、玄関付近の構造がスッキリとして、外観意匠性が高まり、さらに、庇の下方のスペースをカーポートとした場合に、カーポートと玄関との間を雨に濡れることなく行き来することができる。
【００１５】
請求項２の住宅にあっては、前記玄関ユニットの上部に、当該玄関ユニットと平面視における形状が等しい上ユニットを設けることにより、玄関ユニットと上ユニットを一体的に納めることができる。
【００１６】
請求項３の住宅にあっては、前記上ユニットの、前記第１壁部または第２壁部の壁面に当接する側の角部に、開口部を形成したので、この開口部は、前記第１壁部および第２壁部の両方の壁面に臨むことになるので、これら壁面にそれぞれ開口部を形成することにより、上ユニットから建物本体内への行き来を２通り選択することができ、上ユニットの部屋からの動線がスムーズになる。
【００１７】
請求項６の住宅にあっては、前記玄関ユニットの、前記第１壁部または第２壁部の壁面に当接していない側のスペースに設けられた庇を、玄関ユニットの玄関庇と一体的に構成することにより、前記庇と玄関庇とを別体に構成する場合に比べ、施工の無駄を省くことができるとともに、玄関付近の構造がスッキリとして、外観意匠性が高まり、さらに、庇の下方のスペースをカーポートとした場合に、カーポートと玄関との間を雨に濡れることなく行き来することができる。
【００１８】
【実施例】
以下、図面を参照して本発明の住宅の一実施例を説明する。
図１〜図４は本実施例の住宅を示すもので、図１は１階部分の平面図、図２は２階部分の平面図、図３は住宅を北側から見た立面図、図４は、住宅の玄関近傍の斜視図である。
これらの図に示す住宅は、２階建ての建物本体１と、この建物本体１に設けられる玄関ユニット２と、この玄関ユニット２の上部に設けられる納戸トイレユニット（上ユニット）３とから構成されている。
【００１９】
前記建物本体１は、パネル工法にて構築されたもので、１階部分においては、図１に示すように、南側に、居間４と和室５とが東西に隣接して設けられている。居間４の北側には、水回り系の部屋６が設けられており、この水回り系の部屋６は、キッチン７と、このキッチン６の北側に隣接して設けられた洗面室８および浴室９とから構成されている。また、水回り系の部屋６の西側には、階段室１０が設けられており、この階段室１０の北側にはトイレ１１が設けられている。
【００２０】
前記構成の建物本体１の、北西側には平面視正方形状の凹所１２が形成されている。この凹所１２は、建物本体１の西側の外壁端部に、内側（東側）に向けて延びる第１壁部１２ａ連接し、この第１壁部１２ａの端部に、外側（北側）に向けて延びて、建物本体１の北側の外壁端部に連接する第２壁部１２ｂを略直角に連接することにより、これら第１壁部１２ａおよび第２壁部１２ｂの前方に形成されたもので、該凹所１２には前記玄関ユニット２が設けられている。
この玄関ユニット２は、図１および図５に示すように、平面視略長方形状をなすもので、長辺の長さは、１Ｍ（モジュール）＝９１０mmとすると４Ｍに、短辺の長さは２Ｍに設定されている。
なお、前記モジュール（Ｍ）は、住宅を設計する際に、基準長さとして用いられるもので、１Ｍ（モジュール）の長さとしては、９００mm、９１０mm、１０００mmのいずれかが用いられる。
また、前記玄関ユニット２の一方の短辺側の壁部２ａには、図５に示すように、玄関扉１３が設けられ、この玄関扉１３の内側に玄関土間１４と、この玄関土間１４に隣接して玄関ホール１５が設けられ、さらに、玄関ユニット２の一方の長辺側の壁部２ｃには引き違い式の窓１６，１６が設けられている。
また、玄関ユニット２の他方の短辺側の壁部２ｂと、他方の長辺側の壁部２ｄとが交差する角部には、それぞれ、開口部１７，１８が形成されている。なお、図５において、符号１９はパイプスペースを、２０は下駄箱を、２１は玄関ポーチをそれぞれ示す。
【００２１】
一方、前記第１壁部１２ａおよび第２壁部１２ｂの平面視におけるそれぞれの長さは等しく、本実施例ではそれぞれ４Ｍに設定されている。
そして、前記構成の玄関ユニット２は、その玄関扉１３を北側に向けるとともに、短辺方向の壁部２ｂを第１壁部１２ａの壁面に当接させ、かつ長辺方向の壁部２ｄを第２壁部１２ｂの壁面に当接させて、凹所１２に納められている。
【００２２】
ここで、前記玄関ユニット２の長辺の長さと、第１壁部１２ａおよび第２壁部１２ｂのそれぞれの長さとは、それぞれ４Ｍで等しいので、玄関ユニット２を、建物本体１の壁面から突出させることなく凹所１２に納めることができる。
また、玄関ユニット２の短辺の長さは２Ｍであり、第１壁部１２ａの長さは４Ｍであるので、玄関ユニット２の、前記第２壁部１２ｂの壁面と当接していない側には、縦×横＝４Ｍ×２ＭのスペースＳ１ができ、よって、このスペースＳ１をカーポート用のスペースとして利用することができる。
【００２３】
また、前記スペースＳ１上には、庇２３が設けられている。この庇２３は建物本体１の高さ方向中央部から張り出したもので、前記玄関ポーチ２１の上方からスペースＳ１の上方に連続して一体的に形成されている、つまり、該庇２３は玄関庇を兼ねている。
前記庇２３は、その縁部が４本の支柱２３ａ…で下方から支持されているが、これら支柱２３ａ…のうちの１本は、前記玄関ポーチ２１に立設された門柱を兼ねており、他の支柱２３ａは地面に立設されている。また、前記支柱２３ａ…のうち、スペースＳ１上の中央部を支持する支柱２３ａと、建物本体１の壁面との間には、図４に示すように、梁２３ｂが架設されており、この梁２３ｂによって、庇２３の中央部が支持されている。
【００２４】
上記のように、庇２３は玄関庇を兼ねているので、前記庇と玄関庇とを別体に構成する場合に比べ、施工の無駄を省くことができるとともに、玄関付近の構造がスッキリとして、外観意匠性が高まり、さらに、庇２３の下方のスペースＳ１をカーポートとすることにより、カーポートと玄関との間を雨に濡れることなく行き来することができる。
【００２５】
また、前記玄関ユニット２には、前記開口部１７，１８が形成されており、
これら開口部１７，１８がそれぞれ前記建物本体１の和室５と階段室１０のそれぞれの壁面に臨んでおり、これら壁面にはそれぞれ開口部が形成されているので、玄関ユニット２から建物本体１内への行き来を、和室５側と階段室１０側の２通り選択することができ、よって玄関からの動線がスムーズなものとなる。
【００２６】
また、前記玄関ユニット２の長辺の長さが４Ｍであり、第１壁部１２ａの長さが４Ｍであるので、図７に示すように、玄関ユニット２の長辺側の壁部２ｄを、第１壁部１２ａの壁面に当接させて設けることにより、玄関ユニット２を、建物本体１の壁面から突出させることなく凹所１２に納めるとともに玄関扉１３の向きを西側に容易に変更することができる。
この場合においても、玄関ユニット２の、前記第１壁部１２ａの壁面と当接していない側には、縦×横＝２Ｍ×４ＭのスペースＳ２ができるので、このスペースＳ２２をカーポート用のスペースとして利用することができ、また、図７および図９に示すように、スペースＳ２の上方にも、玄関庇を兼ねた庇２３を、前記図１に示す住宅の庇２３と同じ構成部材を用いて設けることができる。
【００２７】
なお、玄関ユニット２の長辺側の壁部２ｄを、第１壁部１２ａの壁面に当接する場合は、玄関ユニット２は、図５に示す玄関ユニット２を反転させたユニットを使用すればよい。このようにすれば、玄関ユニット２の窓１６，１６が外側を向くとともに、開口部１７，１８が建物本体１の階段室１０側と和室５側をそれぞれ向くので、建物本体１の構成は何等変更する必要がなく、共通のものを使用することができる。
【００２８】
前記建物本体１の２階部分は、図２に示すように、１階の居間４の上部、和室５の上部、水回り系６の部屋の上部に、それぞれ、洋室３４，３５，３６が設けられており、また、１階の階段室１０の上部にホール３７が設けられ、このホール３７に階段１０ａが接続されている。
【００２９】
また、前記玄関ユニット２の上部には、前記納戸トイレユニット３が設けられている。この納戸トイレユニット３は、図６に示すように、玄関ユニット２と平面視における形状が等しい長方形状のもので、長辺の長さは４Ｍに、短辺の長さは２Ｍに設定されている。
また、前記納戸トイレユニット３の一方の短辺側の壁部３ａの内側には、納戸２４と、この納戸２４に隣接してトイレ２５と廊下２６が設けられ、さらに、納戸トイレユニット３の一方の長辺側の壁部３ｃには引き違い式の窓２７，２７が設けられている。
さらに、納戸トイレユニット３の他方の短辺側の壁部３ｂと、他方の長辺側の壁部３ｄとが交差する角部には、それぞれ、開口部２８，２９が形成されている。
【００３０】
そして、前記構成の納戸トイレユニット３は、前記玄関ユニット２の上部に設けられるが、その際、玄関庇２３を北側に向けるとともに、短辺方向の壁部３ｂを第１壁部１２ａの壁面に当接させ、かつ長辺方向の壁部３ｄを第２壁部１２ｂの壁面に当接させて、凹所１２に納められている。
【００３１】
ここで、前記納戸トイレユニット３は、前記玄関ユニット２と平面視において同形状であるので、納戸トイレユニット３を、建物本体１の壁面から突出させることなく、しかも玄関ユニット２と一体的に凹所１２に納めることができ、よって、住宅が出っ張りのないスッキリとしたデザインとなる。
また、前記納戸トイレユニット３には、前記開口部２８，２９が形成されており、これら開口部２８，２９がそれぞれ前記建物本体１の洋室３５とホール３７のそれぞれの壁面に臨んでおり、これら壁面にはそれぞれ開口部が形成されているので、納戸トイレユニット３から建物本体１内への行き来を、洋室３５側とホール２７側の２通り選択することができ、よって納戸トイレユニット３からの動線がスムーズなものとなる。
【００３２】
また、前記納戸トイレユニット３の長辺の長さが４Ｍであり、第１壁部１２ａの長さが４Ｍであるので、図８に示すように、納戸トイレユニット３の長辺側の壁部３ｄを、第１壁部１２ａの壁面に当接させて設けることにより、納戸トイレユニット３を、建物本体１の壁面から突出させることなく凹所１２に納めることができる。
【００３３】
なお、トイレ納戸ユニット３の長辺側の壁部３ｄを、第１壁部１２ａの壁面に当接する場合は、納戸トイレユニット３は、図６に示す納戸トイレユニット３を反転させたユニットを使用すればよい。このようにすれば、納戸トイレユニット３の窓２７，２７が外側を向くとともに、開口部２８，２９が建物本体１のホール３７側と洋室３５側をそれぞれ向くので、建物本体１の構成は何等変更する必要がなく、共通のものを使用することができる。
また、上記実施例では、庇２３を玄関ポーチ２１の上方からスペースＳ１（Ｓ２）の上方に連続して一体的に形成したが、つまり、該庇２３が関庇を兼ねているが、これに限らず、庇２３と玄関庇とを別体に形成してもよい。
【００３４】
さらに、図１に示すような住宅と、該住宅を反転させたような住宅とを連棟にして構築し、かつ前記凹所１２，１２どうしを隣接させれば、これら凹所１２，１２に一体的に庇を形成することができ、２台分の駐車スペースを有し、かつ屋根付きのカーポートを簡単に形成することができる。
【００３５】
【発明の効果】
以上説明したように、本発明の請求項１の住宅によれば、玄関ユニットの、平面視における短辺の長さを、第１壁部および第２壁部の平面視におけるそれぞれの長さよりも短く設定したので、玄関ユニットを適宜その向きを変えて第１壁部または第２壁部の壁面に当接させて配設することができる。
したがって、玄関入りの方向を適宜選択することができるとともに、玄関ユニットの、前記第１壁部または第２壁部の壁面と当接していない側には、スペースができるので、このスペースをカーポート用のスペースとして利用することができる。
【００３６】
また、前記第１壁部および第２壁部の平面視におけるそれぞれの長さを等しく設定し、かつ、玄関ユニットの平面視における長辺の長さを、前記第１壁部および第２壁部の平面視におけるそれぞれの長さと等しく設定したので、第１壁部と第２壁部のいずれの壁面に、玄関ユニットの長辺側を当接しても、該玄関ユニットを、建物本体の壁面から突出させることなく納めることができるとともに、玄関ユニットの、前記第１壁部または第２壁部の壁面と当接していない側には、同形状のスペースを確保することができる。
【００３７】
さらに、前記玄関ユニットの、前記第１壁部および第２壁部の壁面に当接する側の角部に、開口部を形成したので、この開口部は、前記第１壁部および第２壁部の両方の壁面に臨むことになる。したがって、これら２つの壁面にそれぞれ開口部を形成することにより、玄関ユニットから建物本体内への行き来を２通り選択することができ、玄関からの動線がスムーズになる。
また、玄関ユニットの、前記第１壁部または第２壁部の壁面に当接しない側のスペースに、庇を設け、この庇を前記玄関ユニットの玄関庇と一体的に構成したので、前記庇と玄関庇とを別体に構成する場合に比べ、施工の無駄を省くことができるとともに、玄関付近の構造がスッキリとして、外観意匠性が高まる。また、庇の下方のスペースをカーポートとすることにより、カーポートと玄関との間を雨に濡れることなく行き来することができる。
【００３８】
請求項２の住宅によれば、前記玄関ユニットの上部に、当該玄関ユニットと平面視における形状が等しい上ユニットを設けたので、玄関ユニットと上ユニットを一体的に納めることができる。
【００３９】
請求項３の住宅によれば、前記上ユニットの、前記第１壁部および第２壁部の壁面に当接する側の角部に、開口部を形成したので、この開口部は、前記第１壁部および第２壁部の両方の壁面に臨むことになる。したがって、これら２つの壁面にそれぞれ開口部を形成することにより、上ユニットから建物本体内への行き来を２通り選択することができ、上ユニットの部屋からの動線がスムーズになる。
【図面の簡単な説明】
【図１】本発明の住宅の一実施例を示すもので、１階部分の平面図である。
【図２】同、２階部分の平面図である。
【図３】同、住宅を北側から見た立面図である。
【図４】同、住宅の玄関近傍の斜視図である。
【図５】同、玄関ユニットの平面図である。
【図６】同、納戸トイレユニットの平面図である。
【図７】図１に示す住宅において、玄関ユニットの配設位置を変更した住宅の１階部分の平面図である。
【図８】図２に示す住宅において、納戸トイレユニットの配設位置を変更した住宅の２階部分の平面図である。
【図９】図７および図８に示す住宅を西側から見た立面図である。
【符号の説明】
１  建物本体
２  玄関ユニット
３  納戸トイレユニット（上ユニット）
１２  凹所
１２ａ  第１壁部
１２ｂ  第２壁部
１７，１８，２８，２９  開口部
２３  庇
【図１】
0004070827.tif 000002
【図２】
0004070827.tif 000003
【図３】
0004070827.tif 000004
【図４】
0004070827.tif 000005
【図５】
0004070827.tif 000006
【図６】
0004070827.tif 000007
【図７】
0004070827.tif 000008
【図８】
0004070827.tif 000009
【図９】
0004070827.tif 000010